(57)【特許請求の範囲】
【請求項１】
土壌粒子の粒径区分に基づいて篩い分けされた粘土に属する土壌を大部分含有する床土素材を育苗用のポットに充填し、該ポット内の床土素材に水分を供給して粘性を帯びた流動体となった苗床を作り、該ポット内の粘性を帯びた流動体となった苗床に苗を挿し込み、その後、苗床の水分を蒸発させて苗床を固形化することを特徴とする苗の挿苗方法。
【発明の詳細な説明】
【０００１】
【発明の属する技術分野】
本発明は、苗の挿苗方法に関するもので、従来困難とされていたイグサ等の移植作業を機械化するために育苗用のポットに挿し苗して育苗する技術の分野に属する。
【０００２】
【従来の技術】
従来からイグサを機械によって移植する方法が強く望まれている。そこで、親株から株分けしたイグサを、機械による移植を容易にするために、育苗用のポットに植え付ける方法が試みられているが、そのとき、育苗ポットに挿した苗は、まず、ガイド部材によって倒れないように支持した後、ポット内に床土を充填する方法が取られている。この方法によれは、イグサは、移植機による機械移植が可能になり、全て手作業で行っていた従来の慣行による移植方法に比較すると、著しく省力化されて短期間に集中的に移植作業を行なうことができる。
【０００３】
【発明が解決しようとする課題】
従来の方法による育苗用のポットへの挿し苗は、まず、先に苗を育苗用のポットに挿し込み、その苗が倒伏しないようにガイド部材によって保持した後、床土を充填して苗床を作る手順で行われていた。この方法によると、苗は、必ずしもポットの中心位置に植えられず偏ることが多く、更に、苗の倒伏を防止するためのガイド部材が必須の器具として必要であった。
【０００４】
また、移植時には、育苗用のポットは、苗床が崩れないように充分に発根した根によって保持されることが要求される等の課題があった。そこで、本発明は、上記課題を解決するものであり、更に、育苗用のポット内に挿し苗の苗床を作るにあたり、苗を挿す時期には床土が軟らかい流動状態で挿し易く、その後、水分の蒸発に伴って固形化が進み倒伏しないように強固に苗を保持し、更には、移植時期には土壌の固形化によって崩れ難いポット状苗床になる方法を具現せんとするものである。
【０００５】
【課題を解決するための方法】
本発明は、上述した課題を解決するために、次の如き技術手段を講ずるものである。
【０００６】
請求項１の発明は、土壌粒子の粒径区分に基づいて篩い分けされた粘土に属する土壌を大部分含有する床土素材を育苗用のポットに充填し、該ポット内の床土素材に水分を供給して粘性を帯びた流動体となった苗床を作り、該ポット内の粘性を帯びた流動体となった苗床に苗を挿し込み、その後、苗床の水分を蒸発させて苗床を固形化することを特徴とする苗の挿苗方法としている。
【０００７】
【発明の効果】
本発明は、土壌粒子の粒径区分に基づいて篩い分けされた粘土に属する土壌を大部分含有する床土素材を育苗用のポットに充填し、該ポット内の床土素材に水分を供給して粘性を帯びた流動体となった苗床を作り、粘性を帯びた流動体となった苗床に苗を挿すので、挿し苗が容易にでき、且つ、挿した苗が倒伏しにくく、また、ポットの中心部分に苗を挿すことが容易にできる。そして、苗を挿した後は、苗床の水分を蒸発させて苗床を固形化するので、移植時に苗床が崩れにくく、機械移植に適するものとなる。
【０００８】
【発明の実施の形態】
以下、本発明に係る苗の挿苗方法について、その実施の形態を説明する。
まず、イグサの栽培は、苗圃場において栽培する過程に分蘖（株張り）した親株を早春の３月頃に、株分けして育苗ポットに挿し苗して育苗する。そして、イグサは、約２か月程度育苗ポットによって育苗した後、五月頃、再度苗圃場に移植して育苗して、更に、分蘖を促進する。
【０００９】
そして、イグサは、９月頃苗圃場から堀取って株分けして育苗ポットに挿し苗して育苗して、１１月頃に本田への移植に備えるのである。この間、約１年苗圃場とポット育苗を繰り返し、行なって分蘖して増株するが、通常、苗圃場においては、イグサは、約２０倍程度に分蘖することが知られている。そして、イグサは、水稲に比較すると根が太く、頑丈に成育する作物であるが、根の量が少ないためにポット育苗したとき、根によって床土を保持することができ難く、崩れ易く、そのままでは機械移植に不向きとされてきた。
【００１０】
つぎに、本発明の実施例で使用する床土素材について説明する。まず、土壌は、その器械的組成（粒径による組成）に基づく分類を土性と称し、これが土壌中における養分の保持能力や水分の保持力等を大きく左右することが知られている。そして、本発明で対象とする土壌は、普通、粘土と呼ばれ、篩を通して分類すれば、０．０１ｍｍ以下の粒径に属するものである。そして、粘土は、水分を含むと粘性を帯びた流動体となり、水分が発散すると固形化する特性を有することが知られている。
【００１１】
前述したとおり、イグサは、水稲に比較して根が太くて頑丈に成育するが、反面、根の量が少ないためにポット育苗したとき、苗床の土が崩れ易く取り扱いに注意を要し、機械移植に不向きとされてきたが、この種の作物の床土素材として粘土が適するものと思われる。本発明の実施例で使用する床土素材は、粘土質の土壌の混入割合を多くすることによって、水分の含有量が多い時には粘性のある流動状態になって、挿し苗を容易にし、その後、水分含有量の変化によって固形化して崩れにくい苗床になる特性を利用して挿し苗から本田への移植までを行なうことができる。
【００１２】
つぎに、本発明の実施例で使用する育苗器具について説明する。まず、図１乃至図３に示す構成例は、可撓性の素材から成形した育苗用のポット１であって、縦（実施例の場合、３２個）横（８個）に整然と配列したポット状育苗室２を構成して、床土を充填できる構成している。そして、各ポット状育苗室２は、図１に示すように、底面にＹ字型に切り抜いた貫通孔３を設けて機械による移植作業時に、ポット苗を押し出す押出し具が抜き差しできる構成としている。
【００１３】
そして、育苗用のポット１は、図１に示すように、両側縁に沿って送り孔４を等間隔で配列して設け、機械移植時において、ポット状育苗室２のピッチ分だけ機械的に送ることができる構成としている。そして、図４および図５に示す構成例の育苗用のポット１は、上側開口部５より下側開口部６を広く形成しており、苗箱７に収納載置して育苗する構成としている。そして、各ポット状育苗室２は、水抜き孔８を穿設した苗箱７の底板上に載置されて、育苗中を通して、挿し苗時期から移植のために取り出すまで、下側開口部６を塞いだ状態にして育苗する構成としている。
【００１４】
つぎに、支持案内具９は、図６に示すように、育苗用のポット１の各ポット状育苗室２内に上側から下部を挿入して嵌合し、挿し苗直後の苗を周囲の支持案内部１０によって支持する構成としている。つぎに、本発明の実施例における挿し苗方法を説明する。まず、挿し苗用の苗床を、ポット状育苗室２内に作る２つの方法から述べる。
【００１５】
第１の方法は、土壌粒子の粒径区分に基づいて篩い分けした粘土に属する土壌の混入割合が大部分を占める床土素材を用意して、必要な肥料要素を加えて準備する。そして、床土素材は、水を供給しながら練って、粘性を高めた流動状の床土を精製する。このように精製して流動状にした床土を、前述のとおり苗箱７内に収納載置して各ポット状育苗室２に注入して充填し苗床を作る。このとき、各ポット状育苗室２は、床土が流動性を持っているから、ポットの隅々まで流入して空き間なく充填することができる。そして、床土は、下側にある貫通孔３が苗箱７の底板によって塞がれているから、流れ出ることがない。
【００１６】
つぎに、もう１つの第２の方法は、上述の床土素材を、まず、苗箱７内に収納載置している各ポット状育苗室２に供給し、満遍に空き間なく充填して、その後、水を注入して粘性を高めた流動状の床土の苗床を作る。以上述べたように、第１又は第２の方法のいずれかの方法によって内空に苗床を作ったポット状育苗室２に、図６に示すように、支持案内具９を上側から重ねて支持案内部１０の下縁部を、挿入して嵌合し挿し苗の準備を完了する。
【００１７】
つぎに、予め、苗圃場から堀取った親株から株分けした１株の苗株を、各ポット状育苗室２の苗床に挿し苗する。そのとき、苗床は、床土に水が供給されて柔かな流動性に富む土質になっているから、苗株をきわめて容易にポットの中心位置に挿し込むことができる。以上のようにして、苗床は、挿し苗のときには軟らかい流動状態にあるため挿し易いが、日時が経過して水分が蒸発して順次乾燥してくると、固形化して苗を倒伏しないように保持できる状態に変質する。なお、育苗の過程において、発根を促進するために適宜に給水をして苗床を流動化することも可能である。
【００１８】
以上のようにしてイグサは、約２か月間の育苗期間が終わると、本田へ機械移植するための移植作業に移る。そのとき、従来のイグサポットは、根が太くて頑丈にイグサが成育するが、反面、根の量が少ないために、苗床の土崩れを根によって包持できる状態にはならない。しかしながら、本発明の実施例は、ポット状育苗室２の苗床に、０．０１ｍｍ以下の粒径に属する粘土を床土素材として使用したから、乾燥することによって床土自体が固形化して塊となり、根の助けを借りなくても崩れることが少ない。
【００１９】
したがって、本発明に係るポット苗床は、機械移植に充分耐えることができる硬さを保持できる特徴を有する。なお、以上の説明は、イグサを実施例にして説明したが、イグサ以外の作物、例えば、甘薯や菊等についても同様の効果が期待できる。
【図面の簡単な説明】
【図１】育苗用のポットの平面図である。
【図２】育苗用のポットの側面図である。
【図３】育苗用のポットの側面図である。
【図４】別構成の育苗用のポットの一部破断した斜面図である。
【図５】別構成の育苗用のポットの横断面図である。
【図６】育苗用のポットと支持案内具を示す一部破断した側面図である。
【符号の説明】
１  育苗用のポット
２  ポット状育苗室
３  貫通孔
４  送り孔
５  上側開口部
６  下側開口部
７  苗箱
８  水抜き孔
９  支持案内具
【図１】
0003570412.tif 000002
【図２】
0003570412.tif 000003
【図３】
0003570412.tif 000004
【図４】
0003570412.tif 000005
【図５】
0003570412.tif 000006
【図６】
0003570412.tif 000007